(57)【要約】【課題】  中央音声信号をディスプレイ装置のスピーカーから再生するＡＶアンプにおいて、ディスプレイ装置の電源がオフ状態のときにも、ユーザ操作を要することなく、中央音声信号をＡＶアンプに接続されたスピーカーから再生可能な状態に自動的に設定する。【解決手段】  ディスプレイ装置の電源がオン状態であると判断された場合、スピーカー設定テーブルの中央スピーカーが使用有と設定される。従って、中央音声信号はプリアウト出力端子からディスプレイ装置に出力され、ディスプレイ装置のスピーカーによって再生される。ディスプレイ装置の電源がオフ状態であると判断された場合、スピーカー設定テーブルの中央スピーカーが使用無と設定される。従って、中央音声信号は、他のチャンネルの音声信号に合成され、他のチャンネルのスピーカーから再生される。【選択図】図６
2011082717.tif 000002
【特許請求の範囲】
【請求項１】
外部機器用スピーカーと入力端子とを有し、前記入力端子に入力された音声信号を前記外部機器用スピーカーから再生する外部機器の前記入力端子に接続可能であり、所定チャンネルの音声信号を前記外部機器の前記入力端子に出力する出力端子と、
複数チャンネルの音声信号を増幅する複数チャンネルの増幅部と、
複数チャンネルのスピーカーの各々について使用有無を設定するスピーカー設定手段と、
前記外部機器の電源がオン状態であるか否かを判断する判断手段とを備え、
前記外部機器の電源がオン状態であると判断された場合、前記スピーカー設定手段が前記所定チャンネルのスピーカーを使用有と設定し、前記外部機器の電源がオフ状態であると判断された場合、前記スピーカー設定手段が前記所定チャンネルのスピーカーを使用無と設定する、増幅装置。
【請求項２】
前記スピーカー設定手段によって前記所定チャンネルのスピーカーが使用有と設定された場合、前記所定チャンネルの音声信号を前記出力端子に供給し、前記スピーカー設定手段によって前記所定チャンネルのスピーカーが使用無と設定された場合、前記所定チャンネルの音声信号を他のチャンネルの音声信号に合成し、前記増幅部に供給する音声処理部をさらに備える、請求項１に記載の増幅装置。
【請求項３】
外部機器用スピーカーと入力端子とを有し、前記入力端子に入力された音声信号を前記外部機器用スピーカーから再生する外部機器の前記入力端子に接続可能であり、所定チャンネルの音声信号を前記外部機器の前記入力端子に出力する出力端子と、
複数チャンネルの音声信号を増幅する複数チャンネルの増幅部と、
前記外部機器の電源がオン状態であるか否かを判断する判断手段と、
前記外部機器の電源がオン状態であると判断された場合、前記所定チャンネルの音声信号を前記出力端子に供給し、前記外部機器の電源がオフ状態であると判断された場合、前記所定チャンネルの音声信号を他のチャンネルの音声信号に合成し、前記増幅部に供給する音声処理部とを備える、増幅装置。
【請求項４】
外部機器用スピーカーと入力端子とを有し、前記入力端子に入力された音声信号を前記外部機器用スピーカーから再生する外部機器の前記入力端子に接続可能であり、所定チャンネルの音声信号を前記外部機器の前記入力端子に出力する出力端子と、
複数チャンネルの音声信号を増幅する複数チャンネルの増幅部とを備える増幅装置の動作プログラムであって、
複数チャンネルのスピーカーの各々について使用有無を設定するスピーカー設定ステップと、
前記外部機器の電源がオン状態であるか否かを判断する判断ステップとをコンピュータに実行させ、
前記外部機器の電源がオン状態であると判断された場合、前記スピーカー設定ステップが前記所定チャンネルのスピーカーを使用有と設定し、前記外部機器の電源がオフ状態であると判断された場合、前記スピーカー設定ステップが前記所定チャンネルのスピーカーを使用無と設定する、増幅装置の動作プログラム。
【発明の詳細な説明】
【技術分野】
【０００１】
本発明は、複数チャンネルの音声信号を増幅すると共に、所定チャンネルの音声信号を外部機器に出力する増幅装置に関する。
【背景技術】
【０００２】
ＤＶＤプレーヤと、ＡＶアンプと、ディスプレイ装置とを備える音声再生システムが利用されている。ＤＶＤプレーヤからＡＶアンプに送信される音声データは、マルチチャンネル音声データがエンコードされたものである。例えば、マルチチャンネル音声データは、図２に示すように、左音声信号ＦＬ、右音声信号ＦＲ、中央音声信号Ｃ、低域音声信号ＳＷ、サラウンド左音声信号ＳＬ、サラウンド右音声信号ＳＲを含む。増幅装置は、これらのチャンネル毎にアンプを備えており、各チャンネルの音声信号を増幅し、各チャンネルのスピーカーに音声信号を出力する。各チャンネルのスピーカーの全てをＡＶアンプに接続するのではなく、一部のチャンネルのスピーカーのみをＡＶアンプに接続することがある。ＡＶアンプのスピーカー設定において、スピーカーを接続していないチャンネルについては、スピーカー使用無と設定することができる。これにより、ＡＶアンプは、スピーカー使用無と設定されているチャンネルの音声信号を、スピーカー使用有と設定されているチャンネルの音声信号に合成することによって、スピーカー使用無と設定されているチャンネルの音声信号を再生することができる。
【０００３】
ＡＶアンプには所定チャンネル（例えば、中央音声信号）のプリアウト出力端子を備え、アンプによって増幅する前の中央音声信号をプリアウト出力端子から出力する。中央音声信号のプリアウト出力端子をディスプレイ装置の音声入力端子に接続することによって、ディスプレイ装置に中央音声信号を供給し、ディスプレイ装置のアンプによって中央音声信号を増幅し、ディスプレイ装置のスピーカーから中央音声信号を再生することができる。しかし、ディスプレイ装置が電源オフ状態の場合には、ディスプレイ装置のアンプは動作しないので、ＡＶアンプから供給される中央音声信号をディスプレイ装置のスピーカーから再生することができない。従って、ディスプレイ装置の電源がオフ状態のときに、中央音声信号を再生するためには、ユーザ操作によって、スピーカー設定テーブルの中央音声信号用のスピーカーをスピーカー使用有に設定変更する必要がある。そして、ディスプレイ装置の電源がオン状態にされると、ユーザ操作によって、スピーカー設定テーブルの中央音声信号用のスピーカーをスピーカー使用有に設定変更する必要がある。この操作が非常に煩雑である。
【先行技術文献】
【特許文献】
【０００４】
【特許文献１】特開平１０−１９１２０３号公報
【発明の概要】
【発明が解決しようとする課題】
【０００５】
本発明は上記従来の課題を解決するためになされたものであり、その目的は、所定チャンネル音声信号を外部機器のスピーカーから再生する増幅装置において、外部機器の電源がオフ状態のときにも、ユーザ操作を要することなく、所定チャンネル音声信号を増幅装置に接続されたスピーカーから再生可能な状態に自動的に設定することができる増幅装置を提供することである。
【課題を解決するための手段】
【０００６】
本発明の好ましい実施形態による増幅装置は、外部機器用スピーカーと入力端子とを有し、前記入力端子に入力された音声信号を前記外部機器用スピーカーから再生する外部機器の前記入力端子に接続可能であり、所定チャンネルの音声信号を前記外部機器の前記入力端子に出力する出力端子と、複数チャンネルの音声信号を増幅する複数チャンネルの増幅部と、複数チャンネルのスピーカーの各々について使用有無を設定するスピーカー設定手段と、前記外部機器の電源がオン状態であるか否かを判断する判断手段とを備え、前記外部機器の電源がオン状態であると判断された場合、前記スピーカー設定手段が前記所定チャンネルのスピーカーを使用有と設定し、前記外部機器の電源がオフ状態であると判断された場合、前記スピーカー設定手段が前記所定チャンネルのスピーカーを使用無と設定する。
【０００７】
外部機器の電源がオン状態であると判断された場合、所定チャンネルのスピーカーが使用有と設定される。従って、所定チャンネルの音声信号は出力端子から外部機器に出力され、外部機器のスピーカーによって所定チャンネル音声信号を再生することができる。一方、外部機器の電源がオフ状態であると判断された場合、所定チャンネルのスピーカーが使用無と設定される。従って、外部機器のスピーカーで所定チャンネルの音声信号を再生できないときには、所定チャンネル音声信号は、他のチャンネルの音声信号に合成され、増幅部で増幅され、他のチャンネルのスピーカーから再生される。
【０００８】
好ましい実施形態においては、前記スピーカー設定手段によって前記所定チャンネルのスピーカーが使用有と設定された場合、前記所定チャンネルの音声信号を前記出力端子に供給し、前記スピーカー設定手段によって前記所定チャンネルのスピーカーが使用無と設定された場合、前記所定チャンネルの音声信号を他のチャンネルの音声信号に合成し、前記増幅部に供給する音声処理部をさらに備える。
【０００９】
本発明の別の好ましい実施形態による増幅装置は、外部機器用スピーカーと入力端子とを有し、前記入力端子に入力された音声信号を前記外部機器用スピーカーから再生する外部機器の前記入力端子に接続可能であり、所定チャンネルの音声信号を前記外部機器の前記入力端子に出力する出力端子と、複数チャンネルの音声信号を増幅する複数チャンネルの増幅部と、前記外部機器の電源がオン状態であるか否かを判断する判断手段と、前記外部機器の電源がオン状態であると判断された場合、前記所定チャンネルの音声信号を前記出力端子に供給し、前記外部機器の電源がオフ状態であると判断された場合、前記所定チャンネルの音声信号を他のチャンネルの音声信号に合成し、前記増幅部に供給する音声処理部とを備える。
【発明の効果】
【００１０】
所定チャンネル音声信号を外部機器のスピーカーから再生する増幅装置において、外部機器の電源がオフ状態のときにも、ユーザ操作を要することなく、所定チャンネル音声信号を増幅装置に接続されたスピーカーから再生可能な状態に自動的に設定することができる増幅装置を提供することができる。
【図面の簡単な説明】
【００１１】
【図１】ＡＶアンプ１、ＤＶＤプレーヤ３０、ディスプレイ装置５０を示すブロック図である。
【図２】複数チャンネルの音声信号の各チャンネルが再生される位置を示す図である。
【図３】ＡＶアンプ１、ディスプレイ装置５０及び各チャンネルのスピーカーの配置を示す図である。
【図４】スピーカー設定テーブルを示す図である。
【図５】スピーカー設定テーブルを示す図である。
【図６】マイコン２の処理を示すフローチャートである。
【図７】音声処理部４の処理を示すフローチャートである。
【図８】ＡＶアンプ１、ＤＶＤプレーヤ３０、アンプ内蔵サブウーファ６０を示すブロック図である。
【発明を実施するための形態】
【００１２】
以下、本発明の好ましい実施形態によるＡＶアンプ（増幅装置）について、図面を参照して具体的に説明するが、本発明はこれらの実施形態には限定されない。図１は、ＡＶアンプ１と、ＤＶＤプレーヤ３０と、外部機器の一例であるディスプレイ装置５０とを示すブロック図である。ＡＶアンプ１と、ＤＶＤプレーヤ３０と、ディスプレイ装置５０とは、例えば、ＨＤＭＩ規格に準拠しており、ＨＤＭＩケーブルを介して相互に接続される。ＤＶＤプレーヤ３０は、ＤＶＤディスクから映像データ及びマルチチャンネル音声データを読み出して、ＨＤＭＩデータに変換し、ＡＶアンプ１に送信する。ＡＶアンプ１は、ＤＶＤプレーヤ３０からＨＤＭＩデータを受信し、ＨＤＭＩデータから元の映像データを生成し、ＨＤＭＩデータに変換し、ディスプレイ装置５０に送信する。
【００１３】
ＡＶアンプ１は、ＨＤＭＩデータからの元のマルチチャンネル音声データを生成し、マルチチャンネル音声データをデコードし、複数チャンネルの音声データを生成する。ＡＶアンプ１は、各チャンネルの音声データをデジタル／アナログ変換し、各チャンネルのアナログの音声信号を生成する。ＡＶアンプ１は、各チャンネルの音声信号を増幅し、外部に接続された各チャンネルのスピーカーに出力する。ＡＶアンプ１は、所定チャンネル音声信号（本例では中央音声信号であるが、他のチャンネルの音声信号でもよい。）のプリアウト出力端子１２を備え、プリアウト出力端子１２から中央音声信号をディスプレイ装置５０に供給する。
【００１４】
ディスプレイ装置５０は、ＡＶアンプ１からＨＤＭＩデータを受信し、ＨＤＭＩデータから元の映像データを生成し、表示する。ディスプレイ装置５０は、音声入力端子にＡＶアンプ１のプリアウト出力端子１２が接続されており、中央音声信号を受信し、ディスプレイ装置５０に内蔵されているアンプ５２で増幅し、ディスプレイ装置５０に内蔵されているスピーカー５３から中央音声信号を再生する。
【００１５】
図２は、ＡＶアンプ１が受信するマルチチャンネル音声データに含まれる各チャンネルの音声信号の一例を説明する図である。マルチチャンネル音声データは、例えば、左音声信号ＦＬ、右音声信号ＦＲ、中央音声信号Ｃ、低域音声信号ＳＷ、サラウンド左音声信号ＳＬ、サラウンド右音声信号ＳＲ等を含む。
【００１６】
図３は、ＡＶアンプ１、ディスプレイ装置５０、及び、各チャンネルのスピーカーの配置の一例を説明する図である。ＡＶアンプ１には、左スピーカーＳＦＬ、右スピーカーＳＦＲ、低域スピーカーＳＳＷ、サラウンド左スピーカーＳＳＬ、サラウンド右スピーカーＳＳＲ、及び、ディスプレイ装置５０が接続されている。ディスプレイ装置５０はスピーカー５３を内蔵しており、ディスプレイ装置５０のスピーカー５３がＡＶアンプ１の中央スピーカーＳＣとして使用される。
【００１７】
図１に示すように、ＡＶアンプ１は、マイコン（制御部）２と、ＨＤＭＩ受信部３と、音声処理部４と、アンプ５と、ＨＤＭＩ送信部６と、メモリ（ＲＯＭ、ＲＡＭ等）７と、操作部８と、表示部９と、ＨＤＭＩ入力端子１０と、ＨＭＤＩ出力端子１１と、中央音声信号Ｃのプリアウト出力端子１２とを備える。アンプ５には、図示しない各チャンネルのスピーカー出力端子を介して、各チャンネルに対応するスピーカーＳＦＬ〜ＳＳＷが接続可能である。
【００１８】
ＨＤＭＩ受信部３は、ＨＤＭＩ入力端子１０を介してＤＶＤプレーヤ３０から供給されるＨＤＭＩデータを受信し、ＨＤＭＩデータから元の映像データ（ＨＤＭＩデータに変換する前の映像データ）を生成し、ＨＤＭＩ送信部６に供給する。また、ＨＤＭＩ受信部３は、ＨＤＭＩデータから元のマルチチャンネル音声データを生成し、音声処理部４に供給する。
【００１９】
音声処理部４は、ＨＤＭＩ受信部３から供給されたマルチチャンネル音声データをデコードおよびデジタルアナログ変換し、図２に示す各チャンネルの音声信号を生成する。音声処理部４は、各チャンネルの音声信号にイコライザ処理、遅延処理、音量調整処理等を実行し、各チャンネルの音声信号をアンプ５に供給する。
【００２０】
メモリ７には、図４、図５に示すスピーカー設定テーブルが格納されている。スピーカー設定テーブルは、各チャンネルのスピーカーの使用有無をユーザ操作に基づいて設定するためのテーブルである。スピーカー設定テーブルには、各スピーカーのチャンネルに対して、スピーカーをＡＶアンプ１に接続し、スピーカーに音声を出力する（スピーカー使用有の）場合には「ＹＥＳ」、スピーカーをＡＶアンプ１に接続せず、スピーカーに音声を出力しない（スピーカー無の）場合には「ＮＯ」が設定される。なお、現在市販されているＡＶアンプでは、「ＹＥＳ」と設定する代わりに、クロスオーバー周波数を設定するものが存在する。また、スピーカー設定テーブルをユーザ操作によって設定する代わりに、各チャンネルのスピーカーのＡＶアンプ１への接続有無をマイクによる集音等を使用して自動検出し、スピーカー使用有無を自動で設定してもよい。
【００２１】
図４は、全てのチャンネルのスピーカーについてスピーカー使用有と設定されている場合を示す。図５は、中央スピーカーのみスピーカー使用無と設定されている場合を示す。音声処理部４は、マイコン２から、スピーカー設定テーブルの設定内容が通知される。音声処理部４は、中央スピーカーＳＣがスピーカー使用有に設定されている場合、中央音声信号Ｃをプリアウト出力端子１２に供給する。これにより、中央音声信号Ｃがプリアウト出力端子１２からディスプレイ装置５０に供給され、ディスプレイ装置５０のスピーカー５３から再生することができる。一方、音声処理部４は、中央スピーカーＳＣがスピーカー使用無に設定されている場合、例えば、中央音声信号Ｃを左音声信号ＦＬおよび右音声信号ＦＲに合成する。従って、左スピーカーＳＦＬおよび右スピーカーＳＦＲから中央音声信号Ｃを再生することができる。
【００２２】
アンプ５は、図２の各チャンネルに対応するアンプ回路を備えており、音声処理部４から供給される各チャンネルの音声信号を増幅し、各チャンネルのスピーカー出力端子（図示せず）から、各チャンネルのスピーカーに音声信号を出力する。
【００２３】
ＨＤＭＩ送信部６は、ＨＤＭＩ受信部３から供給された映像データをＨＤＭＩデータに変換し、ＨＤＭＩ出力端子１１を介してディスプレイ装置５０に供給する。ＨＤＭＩのラインの１つとして図示しないホットプラグラインが設けられており、ホットプラグラインを介してディスプレイ装置５０から出力されるホットプラグ信号に基づいて、ディスプレイ装置５０が電源オン状態であるか、又は、電源オフ状態であるかを判別することができる。つまり、ディスプレイ装置５０からのホットプラグ信号がハイレベルであれば、ディスプレイ装置５０が電源オン状態であることが判別され、ホットプラグ信号がローレベルであれば、ディスプレイ装置１が電源オフ状態であることが判別される。
【００２４】
マイコン２は、メモリ７のＲＯＭに格納されているＡＶアンプ１の動作プログラムに基づいて、ＡＶアンプ１の各部を制御する。マイコン２は、その動作プログラムによって実行する機能として、電源判別部２ａと、スピーカー設定部２ｂとを有する。
【００２５】
電源判別部２ａは、ディスプレイ装置５０が電源オン状態であるか、又は、電源オフ状態（スタンバイ状態の意味を含む。）であるかを判別する。例えば、電源判別部２ａは、ディスプレイ装置５０からのホットプラグ信号がハイレベルであれば、ディスプレイ装置５０が電源オン状態であると判別し、ホットプラグ信号がローレベルであれば、ディスプレイ装置５０が電源オフ状態であると判別する。または、電源判別部２ａは、ＨＤＭＩのＣＥＣラインを介して、ディスプレイ装置５０のマイコン５１と通信し、マイコン５１からディスプレイ装置５０が電源オン状態であるか、又は、電源オフ状態であるかの情報を取得し、ディスプレイ装置５０が電源オン状態であるか否かを判断してもよい。
【００２６】
スピーカー設定部２ｂは、ユーザ操作に基づいて、スピーカー設定テーブルの設定動作を実行する。また、スピーカー設定部２ｂは、電源判別部２ａによるディスプレイ装置５０が電源オン状態であるか、電源オフ状態であるかの判別結果に基づいて、自動的にスピーカー設定テーブルの設定動作を実行する。詳細には、スピーカー設定部２ｂは、ディスプレイ装置５０が電源オン状態であると判別されると、図４に示すようにスピーカー設定テーブルの中央スピーカーＳＣをスピーカー使用有に設定する。従って、中央音声信号Ｃをディスプレイ装置５０のスピーカー５３から再生する状態に自動的に設定することができる。一方、スピーカー設定部２ｂは、ディスプレイ装置５０が電源オフ状態であると判別されると、図５に示すようにスピーカー設定テーブルの中央スピーカーＳＣをスピーカー使用無に設定する。従って、中央音声信号Ｃを左音声信号ＦＬおよび右音声信号ＦＲに合成し、左スピーカーＳＦＬおよび右スピーカーＳＦＲから再生する状態に自動的に設定することができる。
【００２７】
操作部６は、ユーザ操作を受け付けるものであり、ＡＶアンプ１の筐体に設けられた操作ボタンや、リモコン送受信機等である。表示部７は、スピーカー設定テーブル等の設定画面を表示するものであり、ＦＬ管やＬＣＤ等である。表示部７は、ＡＶアンプ１に接続されるディスプレイ装置にＯＳＤを表示させるＯＳＤ表示部であってもよい。
【００２８】
ディスプレイ装置５０は、マイコン５１と、アンプ５２と、スピーカー５３と、ＨＤＭＩ受信部５４と、表示部５５とを備える。
【００２９】
マイコン５１は、図示しないメモリに格納されたプログラムに基づいて、ディスプレイ装置５０の各部を制御する。マイコン５１は、ディスプレイ装置５０が電源オン状態であるか否かを、ＣＥＣラインを介してＡＶアンプ１のマイコン２に通知する。アンプ５２は、図示しない音声入力端子を介してＡＶアンプ１のプリアウト出力端子１２に接続されており、中央音声信号Ｃを受信し、増幅し、スピーカー５３から中央音声信号Ｃを再生する。ＨＤＭＩ受信部５４は、図示しないＨＤＭＩ入力端子を介してＡＶアンプ１のＨＤＭＩ出力端子１１に接続されている。ＨＤＭＩ受信部５４は、ＨＤＭＩデータを受信し、ＨＤＭＩデータから元の映像データを生成し、表示部５５に映像を表示させる。また、ＨＤＭＩ受信部５４は、ディスプレイ装置５０が電源オン状態の時にハイレベルのホットプラグ信号を出力し、ディスプレイ装置５０が電源オフ状態の時にローレベルのホットプラグ信号を出力する。
【００３０】
以下、本実施形態の動作を説明する。図６は、マイコン２の処理を示すフローチャートである。マイコン２は、ディスプレイ装置５０が電源オン状態であるか否かを判断する（Ｓ１）。ディスプレイ装置５０が電源オン状態である場合（Ｓ１でＹＥＳ）、マイコン２は、スピーカー設定テーブルの中央スピーカーＳＣをスピーカー使用有に設定する（Ｓ２）。一方、ディスプレイ装置５０が電源オフ状態である場合（Ｓ１でＮＯ）、マイコン２は、スピーカー設定テーブルの中央スピーカーＳＣをスピーカー使用無に設定する（Ｓ３）。
【００３１】
マイコン２は、スピーカー設定テーブルの設定内容が変更されたか否かを判断する（Ｓ４）。変更されていない場合（Ｓ４でＮＯ）、Ｓ１に戻る。変更された場合（Ｓ４でＹＥＳ）、マイコン２は、スピーカー設定テーブルの設定内容を音声処理部４に送信し（Ｓ５）、Ｓ１に戻る。
【００３２】
図７は、音声処理部４の処理を示すフローチャートである。音声処理部４は、スピーカー設定テーブルの設定内容を受信したか否かを判断している（Ｓ１１）。受信した場合（Ｓ１１でＹＥＳ）、音声処理部４は、中央スピーカーＳＣがスピーカー使用有に設定されているか否かを判断する（Ｓ１２）。スピーカー使用有に設定されている場合（Ｓ１２でＹＥＳ）、音声処理部４は、中央音声信号Ｃをプリアウト出力端子１２に供給する（Ｓ１３）。この場合、ディスプレイ装置５０のアンプ５２は音声入力端子を介して中央音声信号Ｃを受信し、中央音声信号Ｃを増幅し、スピーカー５３に供給する。スピーカー５３は、中央音声信号を再生する。一方、スピーカー使用無に設定されている場合（Ｓ１２でＮＯ）、音声処理部４は、中央音声信号Ｃを左音声信号ＦＬおよび右音声信号ＦＲに合成し、アンプ５に供給する（Ｓ１４）。この場合、アンプ５は、中央音声信号Ｃが合成された左音声信号ＦＬおよび右音声信号ＦＲを増幅し、左スピーカーＳＦＬおよび右スピーカーＳＦＲに出力する。従って、左スピーカーＳＦＬおよび右スピーカーＳＦＲから中央音声信号Ｃを再生することができる。
【００３３】
以上のように、本実施形態によると、ディスプレイ装置５０の電源オン状態又は電源オフ状態に応じて自動的にスピーカー設定テーブルの中央スピーカーＳＣのスピーカー有無の設定内容が変更されるので、ユーザ操作を要することなく、中央音声信号Ｃを再生できる状態に自動的に設定することができる。
【００３４】
なお、中央スピーカーＳＣがスピーカー使用無に設定されている際に、左音声信号ＦＬおよび右音声信号ＦＲに代えて、サラウンド左音声信号ＳＦＬおよびサラウンド右音声信号ＳＦＲに合成してもよく、又は、左音声信号ＦＬのみに合成してもよい。要するに、スピーカー使用有に設定されている任意のチャンネルの音声信号に合成することができる。また、ディスプレイ装置５０の電源がオン状態であるか否かの情報は、他の任意の通信ラインを介して、ディスプレイ装置５０のマイコン５１からＡＶアンプ１のマイコン２に送信されてもよい。また、所定チャンネル音声信号がプリアウト出力端子１２から出力される代わりに、ＨＤＭＩ出力端子１１から出力されてもよい。
【００３５】
また、外部機器はディスプレイ装置５０に限定されず外部機器用スピーカーを有する任意の機器に適用される。また、ＡＶアンプ１のプリアウト出力端子１２から外部機器に出力される所定チャンネル音声信号は中央音声信号Ｃに限定されない。
【００３６】
例えば、図８に示すように、ＡＶアンプ１のプリアウト出力端子１２が低域音声信号ＳＷのプリアウト出力端子であり、プリアウト出力端子１２にアンプ内蔵サブウーファ６０の音声入力端子が接続されてもよい。この場合、アンプ内蔵サブウーファ６０のマイコン６１とＡＶアンプ１のマイコン２とが図示しない所定の通信ラインを介して接続され、マイコン６１はアンプ内蔵サブウーファ６０が電源オン状態であるか否かの情報をマイコン２に通知する。マイコン２は、アンプ内蔵サブウーファ６０が電源オン状態である場合には、スピーカー設定テーブルの低域スピーカーＳＳＷをスピーカー使用有に設定する。この場合、音声処理部４は、低域音声信号ＳＷをプリアウト出力端子１２に供給する。従って、アンプ内蔵サブウーファ６０のアンプ６２は低域音声信号を受信し、増幅し、スピーカー６３から低域音声信号ＳＷを再生する。一方、マイコン２は、アンプ内蔵サブウーファ６０が電源オフ状態である場合には、スピーカー設定テーブルの低域スピーカーＳＳＷをスピーカー使用無に設定する。この場合、音声処理部４は、低域音声信号ＳＷを左音声信号ＦＬおよび右音声信号ＦＲに合成する。
【００３７】
また、外部機器が第２のＡＶアンプであってもよく、この場合、外部機器用スピーカーは第２のＡＶアンプに外部接続されるとよい。
【００３８】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００３９】
本発明は、ＡＶアンプ等に好適に採用され得る。
【符号の説明】
【００４０】
１            ＡＶアンプ
２            マイコン
２ａ          電源判別部
２ｂ          スピーカー設定部
３            ＨＤＭＩ受信部
４            音声処理部
５            アンプ
６            ＨＤＭＩ送信部
７            メモリ
８            操作部
９            表示部
１０          ＨＤＭＩ入力端子
１１          ＨＤＭＩ出力端子
１２          プリアウト出力端子
【図１】
2011082717.tif 000003
【図２】
2011082717.tif 000004
【図３】
2011082717.tif 000005
【図４】
2011082717.tif 000006
【図５】
2011082717.tif 000007
【図６】
2011082717.tif 000008
【図７】
2011082717.tif 000009
【図８】
2011082717.tif 000010